(57)【要約】【課題】既存の第一の操作用ボタンと遠隔操作装置を利用することによって所定の運転モードの開始を可能とし、これにより部品点数の減少、及び前記運転モードの操作性の向上を図ることが可能な空気調和機を提供する。【解決手段】運転の開始、停止等のように空気調和機を通常操作するための既存の第一の操作用ボタン２と遠隔操作装置を有し、通常操作とは異なる態様で第一の操作用ボタン２と遠隔操作装置とを操作することによって所定の運転モードを開始させる。【選択図】図１
2006145084.tif 000002
【特許請求の範囲】
【請求項１】
室内ユニットに通常操作する第一の操作ボタンと遠隔操作装置を有する空気調和機であって、前記第一の操作ボタンを押下し、その後に遠隔操作装置の信号を前記室内ユニットに送信すると、所定の運転モードで運転されることを特徴とする空気調和機。
【請求項２】
上記第一の操作ボタンを押下し、その後の所定時間に遠隔操作装置の信号を送信した場合、前記所定時間に応じた運転モードで運転されることを特徴とする請求項１記載の空気調和機。
【請求項３】
前記所定時間に応じた運転モードが最初は冷房運転、次に除湿運転、次に暖房運転モードとすることを特徴とする請求項１または請求項２に記載の空気調和機。
【請求項４】
所定の運転モード開始後、一定時間経過すると運転を停止することを特徴とする請求項１から請求項３記載のいずれか１項に記載の空気調和機。
【請求項５】
上記第一の操作ボタンは、空気調和機の運転、停止操作を行うための応急運転ボタンであることを特徴とする請求項１から請求項４記載のいずれか１項に記載の空気調和機。
【発明の詳細な説明】
【技術分野】
【０００１】
この発明は、空気調和機に関するもので、特に所定の運転モード開始機能のに係るものである。
【背景技術】
【０００２】
空気調和機は、冷媒回路中に圧縮機、室外熱交換器、減圧機構、室内熱交換器を備え、圧縮機を駆動することによって上記冷媒回路中に冷媒を循環させるよう構成されている。そして、室外熱交換器を凝縮器として機能させると共に、室内熱交換器を蒸発器として機能させることによって、冷房運転を行い、その運転を遠隔操作機で制御することができるようになっている。
【０００３】
そして空気調和機の故障の有無、諸特性の確認のため、所定の運転モード例えば冷房、暖房除湿などをファン回転数、圧縮機運転周波数を一定条件下運転する運転モードができるようになっている。冷房モードに関しては、空気調和機の移設又は撤去するために、冷媒回路中の冷媒を室外熱交換器に回収する場合（ポンプダウン）のために使用される場合もある。このような運転モードを開始するための従来の方法としては、運転モードに応じたスイッチのＯＮ操作によって開始する方法等が挙げられる（例えば、特許文献１参照）。
【特許文献１】特開平７−１４５９７９号公報
【発明の開示】
【発明が解決しようとする課題】
【０００４】
上記に示したように、所定の運転モードを開始しようとすれば、そのためだけに専用のスイッチを設ける必要があるため、部品点数が増加すると共に、部品コストの増加にもつながる。また上記専用のスイッチは、一般的にユーザーにとって目立たない製品内部に設けられているため、操作性が悪い等の問題も生じている。
【０００５】
この発明は上記従来の欠点を解決するためになされたものであって、その目的は、既存の操作用ボタンと遠隔操作装置を利用することによって、所定の運転モードの開始を可能とし、これにより部品点数の減少、及び前記運転モードの操作性の向上を図ることが可能な空気調和機を提供することにある。
【課題を解決するための手段】
【０００６】
そこで請求項１の空気調和機は、運転の開始、停止等のように空気調和機を通常操作するための第一の操作ボタンと遠隔操作装置を有して成り、この第一の操作ボタンを押下し、その後に遠隔操作装置の信号を前記室内ユニットに送信すると、所定の運転モードを開始させることを特徴としている。前記請求項１の空気調和機では、特定の機能を有する第一の操作ボタンと遠隔操作装置の操作に所定の運転モードの開始機能を付与したことによって、前記運転モード開始用の特別な部品を設ける必要がなくなるため、製品の部品点数の増加を回避することができる。また、上記第一操作ボタンは、通常操作し易い位置に設けられているため、前記運転モードスイッチとしての操作性を向上させることができる。また操作ボタンを押下状態で遠隔操装置にて信号を送信することにより運転モードを開始させることにより、ユーザーの誤った操作でボタンが押し続けられたような場合に、誤って運転モードが行われるのを防止することができる。
【０００７】
さらに請求項２の空気調和機は、上記第一の操作ボタンを押下し、その後の所定時間に遠隔操作装置の信号を送信した場合、前記所定時間に応じた運転モードを開始させること
を特徴としている。前記請求項２の空気調和機では、所定の時間に遠隔操作装置で信号を送信することにより、各種の運転モードを任意に選択し、単一操作で複数の運転モードを開始することができ、使用者の利便性向上が図れる。
【０００８】
さらに請求項３の空気調和機は、運転モードを最初の所定時間は冷房運転、次は除湿運転、次は暖房運転モードを開始することを特徴としている。前記請求項３の空気調和機では、運転モード規定することによって、運転モード選択の誤選択を防止することができる。
【０００９】
さらに請求項４の空気調和機は、所定の運転モード開始後、一定時間経過すると運転を停止することを特徴としている。前記請求項４の空気調和機では、誤って所定の運転モードが行われた場合でも自動的に運転が停止されるため、誤操作による運転モード時間を最小限に抑えることができる。
【００１０】
さらに請求項５の空気調和機は、上記第一の操作ボタンを、遠隔操作装置を用いず空気調和機の運転、停止操作を行うための応急運転ボタンであることを特徴としている。前記請求項５の空気調和機では、遠隔操作装置が何らかの要因により使用できない場合に空気調和機の運転または停止操作を行うための応急運転スイッチに所定の運転モード開始機能を付与したことによって、製品の部品点数の増加を回避することができる。また、上記応急運転スイッチは、操作し易い製品の表面に設けられているため、前記運転モードを行う際の操作性を向上させることができる。
【発明の効果】
【００１１】
本発明の空気調和機は、既存の操作ボタンと遠隔操作装置を利用することによって所定の運転モードの開始を可能とし、これにより部品点数の減少、及び前記運転モードの操作性の向上を図ることができる。
【発明を実施するための最良の形態】
【００１２】
請求項１の空気調和機では、特定の機能を有する第一の操作ボタンと遠隔操作装置に所定の運転モード開始機能を付与したことによって、前記運転モード開始用の特別な部品を設ける必要がなくなるため、製品の部品点数の増加を回避することができる。また、上記第一の操作用ボタンは、通常、操作し易い位置に設けられているため、前記運転モードスイッチとしての操作性を向上させることができる。
【００１３】
さらに請求項２の空気調和機は、上記第一の操作ボタンを押下し、その後の所定時間に遠隔操作装置の信号を送信した場合に前記所定時間に応じた運転モードを開始させることができるように構成されている。このように所定の時間に遠隔操作装置で信号を送信することにより、各種の運転モードを任意に選択し、単一操作で複数の運転モードを開始することが可能となり使用者の利便性向上が図れる。
【００１４】
請求項３の空気調和機では、運転モードを最初の所定時間は冷房運転、次は除湿運転、次は暖房運転モードを開始するように構成されており、運転モード規定することによって、運転モード選択の誤選択を防止することができる。
【００１５】
請求項４の空気調和機では、所定の運転モード開始後、一定時間経過すると運転を停止させるよう構成されている。これによって誤って所定の運転モードが行われた場合でも自動的に運転が停止されるため、誤操作による運転モード時間を最小限に抑えることができる。
【００１６】
請求項５の空気調和機では、上記第一の操作ボタンを、遠隔操作装置を用いず空気調和
機の運転、停止操作を行うための応急運転ボタンとするよう構成されている。前記応急運転ボタンに運転モード開始機能を付与したことによって、製品の部品点数の増加を回避することができる。また、上記応急運転スイッチは、操作し易い製品の表面に設けられているため、前記運転モードを行う際の操作性を向上させることができる。また上記応急運転運転スイッチは、操作し易い製品の表面に設けられているため、所定の運転モードを行う際の操作性を向上させることができる。
【００１７】
以下、本発明の実施の形態について、図面を参照しながら説明する。なお、この実施の形態によって本発明が限定されるものではない。
【００１８】
（実施の形態１）
上記空気調和機の室内機の部分拡大斜視図を図２に示す。これは、上記室内機１の前面パネル３を開放した状態を示しており、その前面側にフィルタ（図示せず）、またその奥側に室内熱交換器（図示せず）が設けられている。そして上記室内熱交換器の下方には吹出口４が形成されており、この吹出口４に、吹出風の角度を上下に制御する水平フラップ５が設けられている。そしてこの室内機１の側方には、遠隔操作装置本実施例においてはリモコンが何らかの要因で使用できない際に空気調和機の運転の入り切り操作を行うための応急運転スイッチ２が設けられており、利用者が外部から操作できるようになっている。また上記空気調和機には図示しないリモコンが備えられており、運転の入り切り操作、あるいは温度や風量の設定など種々の操作をこのリモコンを用いて行うことができるように構成されている。この実施形態の場合、上記本応急運転スイッチとリモコンに冷房、除湿、暖房の運転モード開始機能が設けられているが、その具体的な機能については後述する。
【００１９】
次に、上記空気調和機の強制冷房運転の運転制御方法について、図１に示すフローチャートを用いて説明する。まずステップＳ１では、空気調和機を停止させた状態において、応急運転スイッチを押している時間を測定するために設けられたタイマｔ１がリセットされる。次にステップＳ２では、応急運転スイッチが押されているか否かについての判断を行う。応急運転スイッチが押されていない場合には再びステップＳ１に戻り、押されている場合にはステップＳ３に移行して、応急運転スイッチが押されてからの時間をタイマｔ１でカウントする。そして次のステップＳ４において、応急運転スイッチが離されたか否かの判断を行い、離されていればステップＳ５に移行して、応急運転が開始される。ステップＳ４において、応急運転スイッチが離さていなければ、ステップＳ６に移行する。
【００２０】
ステップＳ６では、タイマｔ１でカウントされた時間が予め指定された範囲以内、本実施例では５秒≦ｔ１＜１０秒内であるか否かの判断を行う。タイマｔ１のカウント時間が上記範囲外である場合には、ステップＳ９に移行する。一方タイマｔ１のカウント時間が上記範囲内であれば、ステップＳ７に移行する。ステップＳ７では、リモコンで予め定められた信号、本実施例では運転入り切り信号が送信されたか否かの判断を行う。リモコンから信号がなければステップＳ５に移行して応急運転が開始される。一方リモコンから信号があれば、ステップＳ８に移行し冷房運転モードが開始されると共に、上記運転開始時からの時間カウントがタイマｔ２によって開始される。
【００２１】
ステップＳ６で、タイマｔ１のカウント時間が上記範囲外でありステップＳ９に移行した場合、タイマｔ１でカウントされた時間が予め指定された範囲以内、１０秒≦ｔ１＜１５秒内であるか否かの判断を行う。タイマｔ１のカウント時間が上記範囲外である場合には、ステップＳ６に移行する。一方タイマｔ１のカウント時間が上記範囲内であれば、ステップＳ１０に移行する。ステップＳ１０では、リモコンで予め定められた信号、本実施例では運転入り切り信号が送信されたか否かの判断を行う。リモコンから信号がなければステップＳ５に移行して応急運転が開始される。一方リモコンから信号があれば、ステッ
プＳ１１に移行し除湿運転モードが開始されると共に、上記運転開始時からの時間カウントがタイマｔ２によって開始される。
【００２２】
ステップＳ９で、タイマｔ１のカウント時間が上記範囲外でありステップＳ１２に移行した場合、タイマｔ１でカウントされた時間が予め指定された範囲以内、１５秒≦ｔ１＜２０秒内であるか否かの判断を行う。タイマｔ１のカウント時間が上記範囲外である場合には、ステップＳ６に移行する。一方タイマｔ１のカウント時間が上記範囲内であれば、ステップＳ１３に移行する。ステップＳ１３では、リモコンで予め定められた信号、本実施例では運転入り切り信号が送信されたか否かの判断を行う。リモコンから信号がなければステップＳ５に移行して応急運転が開始される。一方リモコンから信号があれば、ステップＳ１４に移行し暖房運転モードが開始されると共に、上記運転開始時からの時間カウントがタイマｔ２によって開始される。
【００２３】
そして所定の運転モードが開始されれば次のステップＳ１５へ移行して上記タイマｔ２によるカウント時間が所定の時間、本実施例では５分を越えているか否かを判断する。上記タイマｔ２によるカウント時間が５分以内であれば再びステップＳ８もしくはステップＳ１１もしくはステップＳ１４に戻り、タイマｔ２によるカウント時間が５分以上であれば、ステップＳ１６に移行して所定の運転モードを終了させる。そして前記所定の運転モードが終了すれば、再びステップＳ１に戻って空気調和機は停止状態となり、これと共にタイマｔ１がリセットされる。
【産業上の利用可能性】
【００２４】
以上のように、本発明にかかる空気調和機は、既存の操作ボタンと遠隔操作装置を利用することによって所定の運転モードの開始を可能とし、これにより部品点数の減少、及び前記運転モードの操作性の向上を図ることができるので、種々の空気調和機に適用できる。
【図面の簡単な説明】
【００２５】
【図１】本発明の実施の形態における空気調和機の強制冷房運転制御方法を示すフローチャート
【図２】上記空気調和機の室内機の部分拡大斜視図
【符号の説明】
【００２６】
１  室内機
２  応急運転スイッチ
３  前面パネル
４  吹出口
５  水平フラップ
ｔ１  タイマ
ｔ２  タイマ
【図１】
2006145084.tif 000003
【図２】
2006145084.tif 000004